(57)【要約】【課題】  停電時におけるＩＰ電話への着信を任意に指定した電話端末へ着信させることができ、また、長時間の停電時においてもＩＰ電話での着信が可能なＩＰ電話システムの停電対応システムおよびその方法、プログラムおよび記録媒体を提供する。【解決手段】  外部電源に生じる停電を監視して該停電時には電池へ切替えてＩＰ電話システムへ電力を供給するための無停電電源手段と、それぞれに個別の電話番号が割当てられた複数のＩＰ電話機５と、通信網３からの着信を該着信に該当する電話番号のＩＰ電話機５へ接続し、かつＩＰ電話機５からの発信を通信網３へ接続するための制御を行うシステム制御手段と、システム制御手段と連係して動作して停電時における通信網３からの着信を予め登録した登録電話番号へ転送するための着信転送手段と、を備える。【選択図】      図１
2005323259.tif 000002
【特許請求の範囲】
【請求項１】
加入電話網やＩＰネットワークを含む通信網に接続され通信を行うためのＩＰ電話システムの停電時におけるＩＰ電話システムの停電対応システムであって、
外部電源に生じる停電を監視して該停電時には電池へ切替えて前記ＩＰ電話システムへ電力を供給するための無停電電源手段と、
それぞれに個別の電話番号が割当てられた複数のＩＰ電話機と、
前記通信網からの着信を該着信に該当する電話番号の前記ＩＰ電話機へ接続し、かつ前記ＩＰ電話機からの発信を前記通信網へ接続するための制御を行うシステム制御手段と、
前記システム制御手段と連係して動作して前記停電時における前記通信網からの着信を予め登録した登録電話番号へ転送するための着信転送手段と、
を備えることを特徴とするＩＰ電話システムの停電対応システム。
【請求項２】
前記着信転送手段は、
前記通信網を提供し前記着信および前記発信に関する制御を行う通信網提供者に対し、前記転送の開始もしくは停止を要求する要求手段を備えることを特徴とする請求項１に記載のＩＰ電話システムの停電対応システム。
【請求項３】
前記無停電電源手段は、
前記外部電源と前記電池とのそれぞれの電圧を比較する電圧比較手段を有し、
この電圧比較手段により前記外部電源の電圧が前記電池の電圧より所定値以上に低下した場合を停電状態として検出することを特徴とする請求項１または２のいずれかに記載のＩＰ電話システムの停電対応システム。
【請求項４】
前記無停電電源手段は、
前記電圧比較手段により前記外部電源の電圧と前記電池の電圧との電圧差が所定値である場合を非停電状態として検出し、前記電池から前記外部電源へ切替えることを特徴とする請求項３に記載のＩＰ電話システムの停電対応システム。
【請求項５】
加入電話網やＩＰネットワークを含む通信網に接続され通信を行うためのＩＰ電話システムの停電時におけるＩＰ電話システムの停電対応方法であって、
外部電源に生じる停電を監視して該停電時には電池へ切替えて前記ＩＰ電話システムへ電力を供給するための無停電電源手段により前記停電を監視し、
それぞれに個別の電話番号が割当てられた複数のＩＰ電話機に前記電話番号を個別に割当て、
前記通信網からの着信を該着信に該当する電話番号の前記ＩＰ電話機へ接続し、かつ前記ＩＰ電話機からの発信を前記通信網へ接続するための制御を行うシステム制御手段により前記着信および前記発信を制御し、
前記システム制御手段と連係して動作して前記停電時における前記通信網からの着信を予め登録した登録電話番号へ転送するための着信転送手段により前記停電時に前記登録電話番号へ転送し、
もって前記停電時の前記着信を前記登録電話番号へ転送することを特徴とするＩＰ電話システムの停電対応方法。
【請求項６】
前記着信転送手段は、
前記通信網を提供し前記着信および前記発信に関する制御を行う通信網提供者に対し、前記転送の開始もしくは停止を要求する要求手段を備えることを特徴とする請求項５に記載のＩＰ電話システムの停電対応方法。
【請求項７】
前記無停電電源手段は、
前記外部電源と前記電池とのそれぞれの電圧を比較する電圧比較手段を有し、
この電圧比較手段により前記外部電源の電圧が前記電池の電圧より所定値以上に低下した場合を停電状態として検出することを特徴とする請求項５または６のいずれかに記載のＩＰ電話システムの停電対応方法。
【請求項８】
前記無停電電源手段は、
前記電圧比較手段により前記外部電源の電圧と前記電池の電圧との電圧差が所定値である場合を非停電状態として検出し、前記電池から前記外部電源へ切替えることを特徴とする請求項７に記載のＩＰ電話システムの停電対応方法。
【請求項９】
加入電話網やＩＰネットワークを含む通信網に接続され通信を行うためのＩＰ電話システムの停電時におけるＩＰ電話システムの停電対応プログラムであって、
外部電源に生じる停電を監視して該停電時には電池へ切替えて前記ＩＰ電話システムへ電力を供給するための無停電電源手段により前記停電を監視するステップと、
それぞれに個別の電話番号が割当てられた複数のＩＰ電話機に前記電話番号を個別に割当てるステップと、
前記通信網からの着信を該着信に該当する電話番号の前記ＩＰ電話機へ接続し、かつ前記ＩＰ電話機からの発信を前記通信網へ接続するための制御を行うシステム制御手段により前記着信および前記発信を制御するステップと、
前記システム制御手段と連係して動作して前記停電時における前記通信網からの着信を予め登録した登録電話番号へ転送するための着信転送手段により前記停電時に前記登録電話番号へ転送するステップと、
を有して前記停電時の前記着信を前記登録電話番号へ転送することを特徴とするＩＰ電話システムの停電対応プログラム。
【請求項１０】
前記着信転送手段は、
前記通信網を提供し前記着信および前記発信に関する制御を行う通信網提供者に対し、前記転送の開始もしくは停止を要求する要求手段を備えることを特徴とする請求項９に記載のＩＰ電話システムの停電対応プログラム。
【請求項１１】
前記無停電電源手段は、
前記外部電源と前記電池とのそれぞれの電圧を比較する電圧比較手段を有し、
この電圧比較手段により前記外部電源の電圧が前記電池の電圧より所定値以上に低下した場合を停電状態として検出することを特徴とする請求項９または１０のいずれかに記載のＩＰ電話システムの停電対応プログラム。
【請求項１２】
前記無停電電源手段は、
前記電圧比較手段により前記外部電源の電圧と前記電池の電圧との電圧差が所定値である場合を非停電状態として検出し、前記電池から前記外部電源へ切替えることを特徴とする請求項１１に記載のＩＰ電話システムの停電対応プログラム。
【請求項１３】
前記通信網上に配置されたネットワークサーバにインストールされて実行可能なことを特徴とする請求項９〜１２のいずれかに記載のＩＰ電話システムの停電対応プログラム。
【請求項１４】
加入電話網やＩＰネットワークを含む通信網に接続され通信を行うためのＩＰ電話システムの停電時におけるＩＰ電話システムの停電対応プログラムを記録した記録媒体であって、
外部電源に生じる停電を監視して該停電時には電池へ切替えて前記ＩＰ電話システムへ電力を供給するための無停電電源手段により前記停電を監視するステップと、
それぞれに個別の電話番号が割当てられた複数のＩＰ電話機に前記電話番号を個別に割当てるステップと、
前記通信網からの着信を該着信に該当する電話番号の前記ＩＰ電話機へ接続し、かつ前記ＩＰ電話機からの発信を前記通信網へ接続するための制御を行うシステム制御手段により前記着信および前記発信を制御するステップと、
前記システム制御手段と連係して動作して前記停電時における前記通信網からの着信を予め登録した登録電話番号へ転送するための着信転送手段により前記停電時に前記登録電話番号へ転送するステップと、
を有して前記停電時の前記着信を前記登録電話番号へ転送することを特徴とするＩＰ電話システムの停電対応プログラムを記録した記録媒体。
【請求項１５】
前記着信転送手段は、
前記通信網を提供し前記着信および前記発信に関する制御を行う通信網提供者に対し、前記転送の開始もしくは停止を要求する要求手段を備えることを特徴とする請求項１４に記載のＩＰ電話システムの停電対応プログラムを記録した記録媒体。
【請求項１６】
前記無停電電源手段は、
前記外部電源と前記電池とのそれぞれの電圧を比較する電圧比較手段を有し、
この電圧比較手段により前記外部電源の電圧が前記電池の電圧より所定値以上に低下した場合を停電状態として検出することを特徴とする請求項１４または１５のいずれかに記載のＩＰ電話システムの停電対応プログラムを記録した記録媒体。
【請求項１７】
前記無停電電源手段は、
前記電圧比較手段により前記外部電源の電圧と前記電池の電圧との電圧差が所定値である場合を非停電状態として検出し、前記電池から前記外部電源へ切替えることを特徴とする請求項１６に記載のＩＰ電話システムの停電対応プログラムを記録した記録媒体。
【請求項１８】
前記通信網上に配置されたネットワークサーバにインストールされて実行可能なことを特徴とする請求項１４〜１７のいずれかに記載のＩＰ電話システムの停電対応プログラムを記録した記録媒体。
【発明の詳細な説明】
【技術分野】
【０００１】
本発明は、停電時のＩＰ電話システムの制御における、ＩＰ電話システムの停電対応システムおよびその方法、プログラムおよび記録媒体に関する。
【背景技術】
【０００２】
従来において、内線ＩＰ（Internet Protocol）電話収容システムとして内線電話機としてＩＰ（Internet Protocol）電話を利用する電話システムが用いられている。こうした内線ＩＰ電話対応事業所システムは、一般的に、主装置、中継ハブ、ＩＰ電話機およびそれらを接続するケーブルにより構成されている。これらの機器は外部電源により稼動している。
【０００３】
このため、停電時にはＩＰ電話機からの発信および着信ができなかった。また、停電対応としてビル全体の電源を確保し停電対策を行うか、ＵＰＳ（Uninterruptible Power Supply）と呼ばれる無停電電源装置を主装置、中継ハブ、ＩＰ電話機に供給することにより停電時の通話を確保している。（特許文献１、特許文献２を参照）
【特許文献１】特開平７−３３６４３２号公報
【特許文献２】特開平６−１６５２３２号公報
【発明の開示】
【発明が解決しようとする課題】
【０００４】
しかしながら、従来の技術においては、停電時のＩＰ電話の発信および着信のためにバッテリーが必要であり、システム全体の価格も高価になっていた。
【０００５】
また、現在のＵＰＳの電力容量にも限りがあり、電力容量が小さいと長時間の停電に対応することが難しかった。
【０００６】
また、従来の加入電話システムでは、停電時でも電話網からの微弱電流によって外線通話を実現していたり、あるいは停電時のみに低消費電力モードで動作して、バッテリーの持ちを長くする方法などがあったが、内線ＩＰ電話収容電話システムにおいては、電話網からの微弱な電流では動作が難しく、低消費電力モードにしても主装置や中継ハブの双方にバッテリーが必要になっていた。
【０００７】
また、携帯電話が広く普及し、一人一台の携帯電話を保有している状況となり、停電時の発信は携帯電話で行うことはできるものの、会社などに設置された固定のＩＰ電話機に入る着信を携帯電話で受けることはできなかった。
【０００８】
このような課題に鑑み、本発明は、停電時におけるＩＰ電話への着信を任意に指定した電話端末へ着信させることができ、また、長時間の停電時においてもＩＰ電話での着信が可能なＩＰ電話システムの停電対応システムおよびその方法、プログラムおよび記録媒体を提供することを目的とする。
【課題を解決するための手段】
【０００９】
請求項１に記載の本発明は、加入電話網やＩＰネットワークを含む通信網に接続され通信を行うためのＩＰ電話システムの停電時におけるＩＰ電話システムの停電対応システムであって、外部電源に生じる停電を監視して該停電時には電池へ切替えて前記ＩＰ電話システムへ電力を供給するための無停電電源手段と、それぞれに個別の電話番号が割当てられた複数のＩＰ電話機と、前記通信網からの着信を該着信に該当する電話番号の前記ＩＰ電話機へ接続し、かつ前記ＩＰ電話機からの発信を前記通信網へ接続するための制御を行うシステム制御手段と、前記システム制御手段と連係して動作して前記停電時における前記通信網からの着信を予め登録した登録電話番号へ転送するための着信転送手段と、を備える。
【００１０】
また、請求項２に記載の本発明は、請求項１において、前記着信転送手段は、前記通信網を提供し前記着信および前記発信に関する制御を行う通信網提供者に対し、前記転送の開始もしくは停止を要求する要求手段を備える。
【００１１】
また、請求項３に記載の本発明は、請求項１または２において、前記無停電電源手段は、前記外部電源と前記電池とのそれぞれの電圧を比較する電圧比較手段を有し、この電圧比較手段により前記外部電源の電圧が前記電池の電圧より所定値以上に低下した場合を停電状態として検出する。
【００１２】
また、請求項４に記載の本発明は、請求項３において、前記無停電電源手段は、前記電圧比較手段により前記外部電源の電圧と前記電池の電圧との電圧差が所定値である場合を非停電状態として検出し、前記電池から前記外部電源へ切替える。
【００１３】
また、請求項５に記載の本発明は、加入電話網やＩＰネットワークを含む通信網に接続され通信を行うためのＩＰ電話システムの停電時におけるＩＰ電話システムの停電対応方法であって、外部電源に生じる停電を監視して該停電時には電池へ切替えて前記ＩＰ電話システムへ電力を供給するための無停電電源手段により前記停電を監視し、それぞれに個別の電話番号が割当てられた複数のＩＰ電話機に前記電話番号を個別に割当て、前記通信網からの着信を該着信に該当する電話番号の前記ＩＰ電話機へ接続し、かつ前記ＩＰ電話機からの発信を前記通信網へ接続するための制御を行うシステム制御手段により前記着信および前記発信を制御し、前記システム制御手段と連係して動作して前記停電時における前記通信網からの着信を予め登録した登録電話番号へ転送するための着信転送手段により前記停電時に前記登録電話番号へ転送し、もって前記停電時の前記着信を前記登録電話番号へ転送する。
【００１４】
また、請求項６に記載の本発明は、請求項５において、前記着信転送手段は、前記通信網を提供し前記着信および前記発信に関する制御を行う通信網提供者に対し、前記転送の開始もしくは停止を要求する要求手段を備える。
【００１５】
また、請求項７に記載の本発明は、請求項５または６のいずれかにおいて、前記無停電電源手段は、前記外部電源と前記電池とのそれぞれの電圧を比較する電圧比較手段を有し、この電圧比較手段により前記外部電源の電圧が前記電池の電圧より所定値以上に低下した場合を停電状態として検出する。
【００１６】
また、請求項８に記載の本発明は、請求項７において、前記無停電電源手段は、前記電圧比較手段により前記外部電源の電圧と前記電池の電圧との電圧差が所定値である場合を非停電状態として検出し、前記電池から前記外部電源へ切替える。
【００１７】
また、請求項９に記載の本発明は、加入電話網やＩＰネットワークを含む通信網に接続され通信を行うためのＩＰ電話システムの停電時におけるＩＰ電話システムの停電対応プログラムであって、外部電源に生じる停電を監視して該停電時には電池へ切替えて前記ＩＰ電話システムへ電力を供給するための無停電電源手段により前記停電を監視するステップと、それぞれに個別の電話番号が割当てられた複数のＩＰ電話機に前記電話番号を個別に割当てるステップと、前記通信網からの着信を該着信に該当する電話番号の前記ＩＰ電話機へ接続し、かつ前記ＩＰ電話機からの発信を前記通信網へ接続するための制御を行うシステム制御手段により前記着信および前記発信を制御するステップと、前記システム制御手段と連係して動作して前記停電時における前記通信網からの着信を予め登録した登録電話番号へ転送するための着信転送手段により前記停電時に前記登録電話番号へ転送するステップと、を有して前記停電時の前記着信を前記登録電話番号へ転送する。
【００１８】
また、請求項１０に記載の本発明は、請求項９において、前記着信転送手段は、前記通信網を提供し前記着信および前記発信に関する制御を行う通信網提供者に対し、前記転送の開始もしくは停止を要求する要求手段を備える。
【００１９】
また、請求項１１に記載の本発明は、請求項９または１０のいずれかにおいて、前記無停電電源手段は、前記外部電源と前記電池とのそれぞれの電圧を比較する電圧比較手段を有し、この電圧比較手段により前記外部電源の電圧が前記電池の電圧より所定値以上に低下した場合を停電状態として検出する。
【００２０】
また、請求項１２に記載の本発明は、請求項１１において、前記無停電電源手段は、前記電圧比較手段により前記外部電源の電圧と前記電池の電圧との電圧差が所定値である場合を非停電状態として検出し、前記電池から前記外部電源へ切替える。
【００２１】
また、請求項１３に記載の本発明は、請求項９〜１２のいずれかにおいて、前記通信網上に配置されたネットワークサーバにインストールされて実行可能である。
【００２２】
また、請求項１４に記載の本発明は、加入電話網やＩＰネットワークを含む通信網に接続され通信を行うためのＩＰ電話システムの停電時におけるＩＰ電話システムの停電対応プログラムを記録した記録媒体であって、外部電源に生じる停電を監視して該停電時には電池へ切替えて前記ＩＰ電話システムへ電力を供給するための無停電電源手段により前記停電を監視するステップと、それぞれに個別の電話番号が割当てられた複数のＩＰ電話機に前記電話番号を個別に割当てるステップと、前記通信網からの着信を該着信に該当する電話番号の前記ＩＰ電話機へ接続し、かつ前記ＩＰ電話機からの発信を前記通信網へ接続するための制御を行うシステム制御手段により前記着信および前記発信を制御するステップと、前記システム制御手段と連係して動作して前記停電時における前記通信網からの着信を予め登録した登録電話番号へ転送するための着信転送手段により前記停電時に前記登録電話番号へ転送するステップと、を有して前記停電時の前記着信を前記登録電話番号へ転送することを特徴とするＩＰ電話システムの停電対応プログラムを記録する。
【００２３】
また、請求項１５に記載の本発明は、請求項１４において、前記着信転送手段は、前記通信網を提供し前記着信および前記発信に関する制御を行う通信網提供者に対し、前記転送の開始もしくは停止を要求する要求手段を備える。
【００２４】
また、請求項１６に記載の本発明は、請求項１４または１５のいずれかにおいて、前記無停電電源手段は、前記外部電源と前記電池とのそれぞれの電圧を比較する電圧比較手段を有し、この電圧比較手段により前記外部電源の電圧が前記電池の電圧より所定値以上に低下した場合を停電状態として検出するＩＰ電話システムの停電対応プログラムを記録する。
【００２５】
また、請求項１７に記載の本発明は、請求項１６において、前記無停電電源手段は、前記電圧比較手段により前記外部電源の電圧と前記電池の電圧との電圧差が所定値である場合を非停電状態として検出し、前記電池から前記外部電源へ切替えることを特徴とするＩＰ電話システムの停電対応プログラムを記録する。
【００２６】
また、請求項１８に記載の本発明は、請求項８または９のいずれかにおいて、前記通信網上に配置されたネットワークサーバにインストールされて実行可能なことを特徴とするＩＰ電話システムの停電対応プログラムを記録する。
【発明の効果】
【００２７】
本発明によれば、停電時におけるＩＰ電話への着信を任意に指定した電話端末へ着信させることができ、また、長時間の停電時においてもＩＰ電話での着信が可能なＩＰ電話システムの停電対応システムおよびその方法、プログラムおよび記録媒体を提供することができる。
【発明を実施するための最良の形態】
【００２８】
図１は、本発明のＩＰ電話の停電対応システムに係る実施の形態による、全体を説明するための構成図を示している。この図１には、会社などの企業などに設置されて外部の電話網（通信網）３と接続するための電話システム１と、電話システム１と接続されて電話回線を分岐するための中継ハブ２と、一般の加入電話回線やＩＰ電話回線などの電話回線全般を含む電話網３と、電話システム１へ電力を供給するための外部電源４と、電話網３を介した電話の着信／送信を行い通話をするためのＩＰ電話機５が示されている。また、電話システム１は、電話回線制御部（着信転送手段）６と、システム制御部（システム制御手段）７と、電源監視回路８と、電源回路９と、バッテリー（電池）１０とを有している。なお、電源監視回路８と電源回路９により無停電電源手段が構成され、バッテリー１０は非停電時には電源回路９からの充電を受けている。
【００２９】
次に、個々の構成について説明する。まず、電話システム１は、ＰＢＸ（Private Branch Exchange）、ビジネスホンなどのＩＰ電話機５を収容する電話システムであり、複数台が接続されているＩＰ電話機５からの操作により発信、着信への応答が行える装置である。
【００３０】
また、電話回線制御部６は、電話網３を収容し、システム制御部７からの発信信号、転送開始信号、転送解除信号に基づき、電話網３に対してそれぞれの信号に応じた動作の制御を実行する。さらに、電話網３からの着信に対してのシステム制御部７へ着信信号を通知する機能を構成している。
【００３１】
また、システム制御部７は、中継ハブ２と電話システム１を接続し、中継ハブ２からの発信要求信号を処理し、さらに電話回線制御部６に発信要求を行う。加えて、電話回線制御部６からの着信要求に対して中継ハブ２に着信信号を通知する。
【００３２】
また、このシステム制御部７は、電源監視回路８からの停電信号を受信し、転送開始信号を電話回線制御部６に通知する。さらに、電源復旧時に停電からの復旧の場合には転送解除信号を電話回線制御部６に通知する機能を構成している。
【００３３】
また、電源監視回路８は、電源回路９が外部電源４より電力を供給されているか否かを監視する。電力が外部電源４より供給されていない状態の場合には、停電状態であることを検知し、これに基づいて停電信号をシステム制御部７に通知する検知回路である。
【００３４】
また、電源回路９は、外部電源４から供給される電力を電話システム１に供給して電話システム１を動作させるために、各機能モジュールへ電力を供給する電源装置である。なお、外部電源４からの電力の供給が停止している場合には、バッテリー１０と電源回路９とを導通して外部電源４から電源の供給元を切り替える。こうして、外部電源４からの電力供給がされない停電時においても変わらずに電話システム１を動作させるために、バッテリー１０から電力の供給を受けて各制御部に電力を供給する。
【００３５】
また、中継ハブ２は、電話システム１と複数のＩＰ電話機５とを接続し、電話システム１から送出される着信信号をＩＰ電話機５に転送するための中継を行う。さらに、この中継ハブ２に中継されてＩＰ電話機５からの発信要求を電話システム１に中継する。ＩＰ電話機５は、ＩＰ電話で通話を行うユーザからの発信、又はユーザに対して着信を通知し、通話を行う。電話網３は、電話システム１と電話回線で接続されて、中継ハブ２を経由し、ＩＰ電話機５に接続している。
【００３６】
図２には、本発明のＩＰ電話の停電対応システムに係る実施の形態による、停電対応制御を説明するためのフロー図が示されている。また、図３には、本発明のＩＰ電話の停電対応システムに係る実施の形態による、電源回路９とバッテリー１０との切換えを行うための制御を説明するための構成図が示されている。この図２に示したフロー図と、および図３に示した構成図とに従って、本発明の実施の形態の停電時における制御を説明する。
【００３７】
まず、電話システム１の図示しない電源スイッチをＯＮにすることによる起動に伴い電力供給が開始される（ステップＳ１０）。次に、システム制御部７は、この起動が停電状態からの復帰により電源が入れられた復旧なのか、もしくは停電以外の電源ＯＦＦ状態から電源が入れられた復旧なのかを判定する（ステップＳ１１）。
【００３８】
ステップＳ１１における判断で、たとえば、システムの通常の起動などの停電以外の停止状態から電源が入れられた場合による復旧では、その後通常の運用状態に遷移する。通常の運用状態時には、常に通電状況を監視（停電監視）しており、停電状態を瞬時に検知する（ステップＳ１４）。
【００３９】
この停電監視は、図３に示す構成により行われており、外部電源４からの供給電源を電源回路９にて整流して直流に変換し、この変換後の直流の電圧値とバッテリー１０の電圧値とをコンパレータ（比較器）１２にて比較することにより停電監視をしている。このコンパレータ１２には、非停電時においては電源回路９から出力される電源電圧と、バッテリー１０から出力される電源電圧との二種類の電源電圧が印加されている。なお、バッテリー１０から出力される電源電圧は、抵抗１１により電圧が所定値分だけ低下されており、電源回路９から出力される電源電圧よりもこの所定値分だけ低い電圧となっている。抵抗１１は、バッテリー１０から出力された電圧を下げるために、半導体などを用いた定電圧回路を構成している。抵抗１１とコンパレータ１２は、ともに電源監視回路８に含まれている。
【００４０】
コンパレータ１２は、印加される２つの電源電圧を常に比較しており、抵抗１１にて作り出された所定値分の電圧差が存在することをもって、通常の通電状態であることを検出している。また、外部電源４が停電などにより電源供給の停止状態になると、電源回路９からの電源電圧も出力されず０ボルトになり、バッテリー１０との電圧差は抵抗１１により作り出されていた電圧差よりも大きな電圧差になる。コンパレータ１２は、この大きな電圧差が生じたことを検出して、その結果をシステム制御部７へ停電状態として通知している。なお、この停電状態の検出に伴い、システム制御部７はバッテリー１０から電力供給を受けるように接続を切り替え、電話システム１の正常な動作を確保するように制御を行う。さらに、外部電源４が停電状態から復帰した場合は、コンパレータ１２に印加される２つの電源電圧の差分も所定値となるので、電源供給は電源回路９により行われる。
【００４１】
システム制御部７は、停電信号を受けると、電話回線制御部６に対して転送サービス起動信号を通知する（ステップＳ１５）。電話回線制御部６は、転送サービス起動信号を受信すると、電話網３を介して図示しない電話会社に対して転送サービス開始手順として、転送サービス実行の要求を実行する。この転送サービスとは、電話網３上において電話会社などの通信網提供者がユーザ向けに提供するサービスの一つであり、ＩＰ電話機５に停電時に着信した場合に、この着信を予め登録しておいた携帯電話などの外部の電話番号へ転送するサービスの提供である。転送サービス開始手順が完了後、電話回線制御部６は、システム制御部７に転送が完了したことを通知する。システム制御部７は、停電状態を示す停電フラグをＯＮにし（ステップＳ１６）、停電による電話システム１の停止処理を実行して図示しない電源スイッチをＯＦＦにする（ステップＳ１７）。
【００４２】
一方、電話システム１の電源がＯＮとなり、これを検知したシステム制御部７が、停電状態から電源が入れられた停電からの復旧として判定した場合には（ステップＳ１１）、システム制御部７は電話回線制御部６に対して転送サービス停止信号を通知する。電話回線制御部６は電話網３を介して図示しない電話会社などの通信網提供者に対して転送サービスの停止を要求する手順を実施する（ステップＳ１２）。転送サービスが停止したことを確認後、電話回線制御部６はシステム制御部７に対して転送サービスを停止したことを通知する。システム制御部７は停電からの復旧処理が完了したため、停電状態を示す停電フラグがＯＦＦになり（ステップＳ１３）、通常の運用状態に移行する。
【００４３】
以上説明した本発明の実施の形態によれば、複数台のＩＰ電話機５を利用した内線電話機能を備えたＩＰ電話ネットワークを収容する電話システムにおいて、停電時に瞬時に停電状態を検知して、まずＩＰ電話ネットワークを構成するＩＰ電話機のそれぞれに割付けられた電話番号への着信に対し、この着信に応じてたとえば携帯電話などの当該ＩＰ電話ネットワーク以外の電話番号に転送されることにより、停電時にもかかわらず外部からの着信を受けることができる。
【００４４】
なお、本発明の実施の形態においては、電話システム１と中継ハブ２とＩＰ電話機５の構成であるが、電話システム１と中継ハブ２が一体となった構成、電話システム１と中継ハブ２とＩＰ電話機５が一体となった構成、および本実施の形態にて説明した本発明の特徴的な機能をＩＰ電話機５に搭載した構成も含まれることを意図している。
【図面の簡単な説明】
【００４５】
【図１】本発明のＩＰ電話システムの停電対応システムに係る実施の形態による、全体を説明するための構成図を示す。
【図２】本発明のＩＰ電話システムの停電対応システムに係る実施の形態による、停電対応制御を説明するためのフロー図を示す。
【図３】本発明のＩＰ電話システムの停電対応システムに係る実施の形態による、電源監視の構成を説明するための構成図を示す。
【符号の説明】
【００４６】
１  電話システム（ＩＰ電話システム）
２  中継ハブ
３  電話網（通信網）
４  外部電源
５  ＩＰ電話機
６  電話回線制御部（着信転送手段）
７  システム制御部（システム制御手段）
８  電源監視回路（無停電電源手段）
９  電源回路
１０  バッテリー（電池）
１１  抵抗
１２  コンパレータ（比較器）
【図１】
2005323259.tif 000003
【図２】
2005323259.tif 000004
【図３】
2005323259.tif 000005